(57)【要約】【課題】  種籾容器を温湯噴き上げ部または冷水噴き上げ部の上の定位置に容易かつ確実に載せることができる種籾の温湯消毒装置を提供する。【解決手段】  種籾の温湯消毒装置は、温湯消毒機１と水冷機から成る。温湯を噴き上げる温湯噴き上げ部８を設けた温湯タンク２と、消毒する種籾を収容して温湯タンク２内の温湯噴き上げ部８上に載せる多孔状の種籾容器２９を備えている。温湯噴き上げ部８の周囲に、上方から降ろす種籾容器２９を温湯噴き上げ部８上の定位置に案内する案内部３１を設ける。案内部３１は、種籾容器２９の周面に接するように配置した起立体３２から成る。起立体３２の上端は垂直面に対して２０°〜６０°外方に傾斜して外方に開いた誘導部３３を成しており、誘導部３３が温湯タンク内の温水面上に露出させるようにする。【選択図】        図１
2006314330.tif 000002
【特許請求の範囲】
【請求項１】
種籾を温湯に浸して消毒する温湯消毒機と、温湯消毒機で温湯消毒した種籾を冷水に浸して冷却する水冷機とを備えて成る種籾の温湯消毒装置であって、温湯消毒機は、内部に温湯を噴き上げる温湯噴き上げ部を設けた温湯タンクと、温湯タンク内の温湯噴き上げ部の周囲に、消毒する種籾を収容した多孔状の種籾容器を温湯噴き上げ部上の定位置に案内する案内部を設けて成り、上記案内部は、種籾容器の周面に接するように配置した起立体で成り、起立体の上端は垂直面に対して２０°〜６０°外方に傾斜して外方に開いた誘導部を成しており、その誘導部が温湯タンク内の温水面上に露出するように構成されていることを特徴とする種籾の温湯消毒装置。
【請求項２】
種籾を温湯に浸して消毒する温湯消毒機と、温湯消毒機で温湯消毒した種籾を冷水に浸して冷却する水冷機とを備えて成る種籾の温湯消毒装置であって、水冷機は、内部に冷水を噴き上げる冷水噴き上げ部を設けた冷水タンクと、冷水タンク内の冷水噴き上げ部の周囲に、消毒する種籾を収容した多孔状の種籾容器を冷水噴き上げ部上の定位置に案内する案内部を設けて成り、上記案内部は、種籾容器の周面に接するように配置した起立体で成り、起立体の上端は垂直面に対して２０°〜６０°外方に傾斜して外方に開いた誘導部を成しており、その誘導部が冷水タンク内の冷水面上に露出するように構成されていることを特徴とする種籾の温湯消毒装置。
【発明の詳細な説明】
【技術分野】
【０００１】
本発明は、種籾を温湯に浸して種籾の表面に付着しまたは籾殻と果皮との間に潜む病原菌（いもち病、ばか苗病、苗立枯細菌病、ごま葉枯病、褐条病、もみ枯細菌病などの病原菌が主な例である）を殺菌、滅菌または除菌（以下、消毒という）する種籾の温湯消毒装置に関するものである。
【背景技術】
【０００２】
種籾を所定温度の温湯に所定時間浸すことにより、種籾の表面に付着または籾殻と果皮との間に潜む病原菌を消毒する装置としては、特開２０００−３１６３２１号公報または特開２０００−３４２０１８号公報に記載されているものが知られており、種籾を収容した種籾容器を自走クレーンで吊り下げて温湯タンクに出し入れする種籾の温湯消毒装置は、特開平１１−３１８１１８号公報に記載されている。また、芋もの野菜種子の滅菌装置であって種子をバスケットに入れてその下方から上方に温水を貫流させて滅菌処理し、滅菌処理後に種子をいれたままバスケットの下方から上方に冷水を貫流させて冷却処理するものは、特開平８−９７１４号公報に記載されている。
【特許文献１】特開２０００−３１６３２１公報
【特許文献２】特開２０００−３４２０１８公報
【特許文献３】特開平１１−３１８１１８号公報
【特許文献４】特開平８−９７１４号公報
【発明の開示】
【発明が解決しようとする課題】
【０００３】
前掲の特開２０００−３１６３２１公報、特開２０００−３４２０１８公報または特開平８−９７１４号公報に記載されている種籾の消毒装置おいては、温湯タンクに張った温湯に種籾を単に浸すだけでなく、種籾に噴き上げる温湯を浴びせることにより、種籾の温湯消毒を確実にし、かつその効果の向上を図っているものである。すなわち、これら種籾の温湯消毒装置おいては、温湯タンク内に温湯噴き上げ部を設けてあり、種籾の温湯消毒にあたっては、種籾を収容した種籾容器を温湯噴き上げ部上に降ろして定位置に載せなければならないが、温湯タンク内には温湯が張られているので、その揺れに伴う複雑な光屈折作用や湯気が立ちこめるなどのほか、消毒作業を何度も繰り返すことにより温湯が汚濁してくるなどのために、温湯タンクの上から種籾容器を温湯噴き上げ部上の定位置に降ろしにくいのが実情である。特に、特開平１１−３１８１１８号公報に示すように、種籾容器の上げ下ろしに走行クレーンを用いるものにあっては、温湯噴き上げ部に対する種籾容器の位置合わせがいっそう困難である。このことは温湯消毒後の種籾を冷水に浸して冷却する冷水タンクにおいても同様に問題である。
【０００４】
そこで、本発明は、温湯タンク内の温湯噴き上げ部の周囲に、消毒する種籾を収容した多孔状の種籾容器を温湯噴き上げ部上の定位置に案内する案内部を設けて、案内部の種籾容器の周面に接するように配置した起立体の上端を垂直面に対して２０°〜６０°外方に傾斜して外方に開いた誘導部として、その誘導部が温湯タンク内の温水面上に露出するように構成したことにより、温湯タンク内の温湯噴き上げ部に種籾容器を載せる際に、種籾容器を温湯噴き上げ部上の定位置に容易かつ確実に載せることができる種籾の温湯消毒装置を提供することを目的とする。
【０００５】
また、本発明は、冷水タンク内の冷水噴き上げ部の周囲に、種籾を収容した多孔状の種籾容器を冷水噴き上げ部上の定位置に案内する案内部を設けて、案内部の種籾容器の周面に接するように配置した起立体の上端を垂直面に対して２０°〜６０°外方に傾斜して外方に開いた誘導部として、その誘導部が温湯タンク内の温水面上に露出するように構成したことにより、冷水タンク内の冷水噴き上げ部に種籾容器を載せる際に、種籾容器を冷水噴き上げ部上の定位置に容易かつ確実に載せることができる種籾の温湯消毒装置を提供することを目的とする。
【課題を解決するための手段】
【０００６】
上記目的を達成するため、本発明は次の種籾の温湯消毒装置を提供する。すなわち、請求項１に係るものは、種籾を温湯に浸して消毒する温湯消毒機と、温湯消毒機で温湯消毒した種籾を冷水に浸して冷却する水冷機とを備えて成る種籾の温湯消毒装置であって、温湯消毒機は、内部に温湯を噴き上げる温湯噴き上げ部を設けた温湯タンクと、温湯タンク内の温湯噴き上げ部の周囲に、消毒する種籾を収容した多孔状の種籾容器を温湯噴き上げ部上の定位置に案内する案内部を設けて成り、上記案内部は、種籾容器の周面に接するように配置した起立体で成り、起立体の上端は垂直面に対して２０°〜６０°外方に傾斜して外方に開いた誘導部を成しており、その誘導部が温湯タンク内の温水面上に露出するように構成されていることを特徴とする種籾の温湯消毒装置である。
【０００７】
請求項２に係るものは、種籾を温湯に浸して消毒する温湯消毒機と、温湯消毒機で温湯消毒した種籾を冷水に浸して冷却する水冷機とを備えて成る種籾の温湯消毒装置であって、水冷機は、内部に冷水を噴き上げる冷水噴き上げ部を設けた冷水タンクと、冷水タンク内の冷水噴き上げ部の周囲に、消毒する種籾を収容した多孔状の種籾容器を冷水噴き上げ部上の定位置に案内する案内部を設けて成り、上記案内部は、種籾容器の周面に接するように配置した起立体で成り、起立体の上端は垂直面に対して２０°〜６０°外方に傾斜して外方に開いた誘導部を成しており、その誘導部が冷水タンク内の冷水面上に露出するように構成されていることを特徴とする種籾の温湯消毒装置である。
【発明の効果】
【０００８】
本発明によれば、温湯タンク内の温湯噴き上げ部の周囲に、消毒する種籾を収容した多孔状の種籾容器を温湯噴き上げ部上の定位置に案内する案内部を設けて、案内部の種籾容器の周面に接するように配置した起立体の上端を垂直面に対して２０°〜６０°外方に傾斜して外方に開いた誘導部として、その誘導部が温湯タンク内の温水面上に露出するように構成したことにより、温湯タンク内の温湯噴き上げ部に種籾容器を載せる際に、種籾容器を温湯噴き上げ部上の定位置に容易かつ確実に載せることができる。
【０００９】
また、本発明によれば、冷水タンク内の冷水噴き上げ部の周囲に、種籾を収容した多孔状の種籾容器を冷水噴き上げ部上の定位置に案内する案内部を設けて、案内部の種籾容器の周面に接するように配置した起立体の上端を垂直面に対して２０°〜６０°外方に傾斜して外方に開いた誘導部として、その誘導部が温湯タンク内の温水面上に露出するように構成したことにより、冷水タンク内の冷水噴き上げ部に種籾容器を載せる際に、種籾容器を冷水噴き上げ部上の定位置に容易かつ確実に載せることができる。
【発明を実施するための最良の形態】
【００１０】
図１は本発明の一実施の形態に係る種籾の温湯消毒装置を構成する温湯消毒機の断面図、図２は同上平面図、図３は同上斜視図、図４は温湯タンクの概略断面図、図５は同上作業態様を示す斜視図、図６は温湯が汚濁した状態を示す斜視図、図７は温湯消毒装置を構成する水冷機の斜視図、図８は冷水が汚濁した状態を示す斜視図、図９は冷水タンクの概略断面図、図１０は作業用のクレーンを備えた温湯消毒装置の構成を示す概念図である。
【００１１】
本発明に係る種籾の温湯消毒装置は、温湯消毒機１、後述する水冷機および同じく作業用のクレーンを備えて成るものである。温湯消毒機１は、温湯タンク２、給湯制御機３を備えており、４は温湯循環口である。温湯タンク２内には、多孔状のスノコ５が底面との間に一定の高さを成すように配置されており、温湯タンク２内の底面とスノコ５との間が温湯流下室６を成し、スノコ５の上が温湯貯留室７を成している。温湯タンク２の温湯貯留室７には、上面に多数の温湯噴出孔をあけた温湯噴き上げ部８を形成している。温湯タンク２は、二重壁構造であってその中空部には断熱材を充填し、保温性を向上させてある。
【００１２】
給湯制御機３は、給湯器９を内蔵しており、給湯器９はＵ字状の電気ヒータ１０を備えている。上記各給湯器９の温湯送出口１１と前記温湯噴き上げ部８とは温湯送出管１２により接続され、各給湯器９の下部はモータポンプ１３の送出側に温湯戻し管１４により接続されており、さらにモータポンプ１３の吸入側は温湯吸入管１５により温湯タンク２の温湯流下室６に連通させてある。そして、この構成によって、モータポンプ１３により温湯タンク２の温湯流下室６から吸入された温湯は給湯器９において、予め設定した所定の温湯消毒温度の温湯が給湯されるように加熱制御されたうえ、温湯噴き上げ部８内に加圧給湯されて、温湯噴き上げ部８の上面から噴射され、噴射された温湯は温湯貯留室７からスノコ５を通して温湯流下室６に流下する経路で繰り返し循環されることになる。
【００１３】
給湯器９にはフロートスイッチ１６を内臓しており、給湯器９内が所定水位のときのみ電気ヒータ１０に通電するように、後述の温湯制御器１７により制御される構成としてある。
【００１４】
給湯制御機３は、その上部に温湯制御器１７を内蔵しており、この温湯制御器１７により各給湯器９の電気ヒータ１０への通電を制御して、温湯噴き上げ部８に給湯される温湯の温度を所定の温容消毒温度に保つように成っている。温湯制御器１７は、その上面にタイマーを始動するスタートボタン１８とリセットボタン１９を備えている。温湯タンク２には、給湯制御装置３の設置側以外の適宜側面に移動配置可能な操作器２０が備えられており、そのスタートボタン２１とリセットボタン２２は、温湯制御器１７のスタートボタン１８とリセットボタン１９とそれぞれ連動しているので、温湯制御器１７から離れてもタイマー始動操作と停止操作が可能である。
【００１５】
２３はガス給湯器である。このガス給湯器２３は、種籾の温湯消毒作業開始前に温湯タンク２に所定温度の温湯を張るためのものである。前記温湯制御機３とガス給湯器２３はそれらを一体にユニット化して、温湯タンク２の一側に固定して併設してある。２４は上記ユニット化のための台構造体である。２５は給湯管、２６はガス給湯器２３への給水管、２７は温湯タンク２のオーバーフロー口、２８はオーバーフロー管である。オーバーフロー管２８は透光性（透明または半透明）の可撓管からなり、オーバーフローの状況が外部から観察できるように成っている。
【００１６】
上記ガス給湯器２３は、種籾の温湯消毒作業開始前に温湯タンク２に所定温度の温湯を張るためのものであるから、比較的熱容量の大きいものであれば、必ずしも熱源がガスでなくてもよいが、熱効率が高くかつエネルギー価格の低い熱源であることが望ましい。この点で一般的にはガスが適しているが、例えば、灯油給湯器であったり、低価格の夜間電力を利用して夜間に湯を沸かしておいてそれを用いることもよいし、太陽熱などの自然エネルギーの活用も考えられる。
【００１７】
ガス給湯器２３により種籾の温湯消毒作業開始前に温湯タンク２に張る温湯の温度は、種籾の温湯消毒温度よりやや低い温度とし、温湯制御機３により所定の温湯消毒温度に保つのが一般的である。しかし、ガス給湯器２３から温湯タンク２に温湯の温度を高めにして所定の水位よりやや低い水位まで給湯し、それに冷水を足して温湯タンク２内の温湯を所定の温湯消毒温度とすることも可能である。そして、このような態様は、例えば夜間電力によって夜間に湯を沸かして使用する場合などに好適であるし、温湯タンク２内の温湯を速やかに所定の温度に調整することができるという利点がある。また、寒冷地においては、ガス給湯器２３から常時給湯あるいは適時間間隔の給湯によって、温湯タンク２内の温湯の温度を所定の温度に保つことも行われる。
【００１８】
２９は種籾容器である。この種籾容器２９は底面および側面が多孔状であり、消毒する種籾を網袋に入れまたはそのまま直に収容して温湯タンク２内の温湯噴き上げ部８上に載置する。３０はその吊りアームである。
【００１９】
温湯タンク２内の温湯噴き上げ部８には、その周囲に上方から降ろす種籾容器２９を温湯噴き上げ部８上の定位置に案内する案内部３１を設けてある。この案内部３１は、種籾容器２９の周面、図示の実施の形態では種籾容器２９の四隅の稜線を挟んだ面に接するように温湯噴き上げ部８の四隅に配置した４つの起立体３２で成り、起立体３２の上端は外方に開いた誘導部３３を成している。誘導部３３は、垂直面に対して２０°〜６０°程度で外方に傾斜しているが、その傾斜角度は４５°程度が種籾容器２９の円滑な下降案内のうえで好適である。上記案内部３１は、四隅に配置した起立体３２に囲み枠３４を形成して成るものである。
【００２０】
温湯タンク２内で開口するオーバーフロー口２７は、上記案内部３１の起立体３２の上端部、すなわち誘導部３３の全体またはその一部が温水面より露出する位置で開口しており（図４参照）、オーバーフロー管３２は温湯タンク２の排水管３５に接続されていて、オーバーフローされる温水が排水管３５から排出されるように成っている。
【００２１】
本発明に係る種籾の温湯消毒装置を構成する水冷機３６は、温湯消毒機１で所定時間温湯消毒した種籾を冷水に浸して急速冷却するためのものである。温湯消毒後の種籾は、温湯消毒時の高い温度のままにしておくと種籾の発芽率が低下したり、また発芽障害を起こすので、温湯消毒後はできるだけ速やかにかつ全体を均等に冷却する必要がある。
【００２２】
本発明に係る水冷機３６はその要求を満たすものである。水冷機３６は、図７に示すように、冷水タンク３７に冷水を所要の水圧に加圧して給水する給水機３８を備えて構成され、冷水タンク３７内は、その底部をスノコ３９で区画して上部を冷水貯留部４０、下部を冷水還流部４１とし、スノコ３９上には冷水噴き上げ部４２が備えられていて、給水機３８のポンプ４３から給水管４４を通して加圧給水される冷水が冷水噴き上げ部４２の上面から冷水貯留部４０内に噴き上がるように構成されている。冷水貯留部４０内に噴き上がった冷水は冷水貯留部４０内で対流を繰り返したうえスノコ３９を通して冷水還流部４１に流下し、冷水戻り管４５を経て給水機３８のポンプ４３に戻流するように成っている。給水管４４には上水道からの給水口４６が設けられていて、この給水口４６から常時または適当な時間間隔で冷水を給水するが、上水道と給水口４６との間は、貯水タンク（図示せず）を介して中継するか、あるいは逆流防止手段を介在させて、給水機３８から上水道への逆流防止を図るものとする。
【００２３】
冷水噴き上げ部４２には、その周囲に上方から降ろす種籾容器２９を冷水噴き上げ部４２上の定位置に案内する案内部４７を設けてある。この案内部４７は、種籾容器２９の周面、図示の実施の形態では種籾容器２９の四隅の稜線を挟んだ面に接するように冷水噴き上げ部４２の四隅に配置した４つの起立体４８で成り、起立体４８の上端は外方に開いた誘導部４９を成している。誘導部４９は、垂直面に対して２０°〜６０°程度で外方に傾斜しているが、その傾斜角度は４５°程度が種籾容器２９の円滑な下降案内のうえで好適である。上記案内部４７において四隅に配置した起立体４８に囲み枠を形成していることは、温湯タンク２における構成と同様である。
【００２４】
冷水タンク３７の底壁には排水管５０が接続されており、その排水管５０の冷水タンク３７内における排水口５１にはオーバーフロー管５２が接続されていて、冷水タンク３７内で開口するオーバーフロー口５３は、上記案内部４７の起立体４８の上端部、すなわち誘導部４９の全体またはその一部が冷水面より露出する位置で開口している。図示の実施の形態においては、排水管５０にオーバーフロー管５２が抜き差し自在と成っていて、オーバーフロー管５２を抜くと排水管５０が開口するようにしてあるが、排水手段とオーバーフロー手段は、必ずしもそのようなものでなくてもよい。
【００２５】
本発明に係る種籾の温湯消毒装置１においては、前記のように、その温湯タンク２内の温湯噴き上げ部８に種籾容器２９を定位置に案内する案内部３１が設けられており、その起立体３２の上端は外方に開いた誘導部３３を成しているので、クレーン５４により吊り下げて温湯タンク２の上に移動させた種籾容器２９を温湯噴き上げ部８上に概略的な位置合わせをするだけで、種籾容器２９を温湯噴き上げ部８の上の定位置に載置することができる。なお、クレーン５４において、５５はガイドレール、５６は自走体、５７は下げフック、５８は操作制御器である。
【００２６】
そして、温湯タンク２内において、案内部３１の起立体３２の上端部、すなわち誘導部３３は、常時温水面から露出しているので、温湯タンク２内の温水が汚濁してきても、種籾容器２９を温湯噴き上げ部８上の定位置に載置する作業に支障を生じないし、容易かつ確実にその作業を行うことができる。
【００２７】
また、冷水タンク３７内においても、その冷水タンク３７内の冷水噴き上げ部４０に種籾容器２９を定位置に案内する案内部４７が設けられており、その起立体４８の上端は外方に開いた誘導部４９を成しているので、クレーン５４により吊り下げて冷水タンク３７上に移動させた種籾容器２９を冷水噴き上げ部４２上に概略的な位置合わせをするだけで、種籾容器２９を冷水噴き上げ部４２上の定位置に的確に載置することができる。すなわち、クレーン５４により冷水タンク３７上に移動させた種籾容器２９の冷水噴き上げ部４２に対する正確な位置合わせの必要がないところから、種籾容器２９を滞りなく冷水噴き上げ部４２上に載置することができるので、温湯消毒後の種籾の急速な冷却に大きく寄与するものとなる。
【００２８】
そして、冷水タンク３７内において、案内部４７の起立体４８の上端部、すなわち誘導部４９は、常時冷水面から露出しているので、冷水タンク３７内の冷水が汚濁してきても、種籾容器２９を冷水噴き上げ部４２上の定位置に載置する作業に支障を生じないし、容易かつ確実にその作業を行うことができる。
【００２９】
温湯消毒機１における所定の温湯消毒温度は５０℃〜６５℃の範囲内、種籾の温湯への浸漬時間は５分〜２０分の範囲内でそれぞれ特定値に設定するが、温湯消毒温度が低いときは消毒時間を長く、かつ温度が高いときは消毒時間を短く設定する。ちなみに、各種試験データからその一例を示せば、温湯消毒温度が５８℃では消毒時間が１５分、６０℃では１０分、６２℃では５分とするのが好適である。
【００３０】
水冷機３６における冷水温度は、２０°以下で氷結しない範囲であればよいが、温湯消毒後の種籾を急速に冷却するうえで水温が低いほうがよく、また流水状態であることが好ましい。
【００３１】
なお、本発明に係る温湯タンク２および給湯制御装置３を、種籾を温湯に浸して発芽を促す催芽にも使用する場合には、温湯制御温度を０〜３５℃または０〜５０℃の温度設定範囲、保護上限温度３７℃または５２℃の機能を兼ね備えたものとする。
【図面の簡単な説明】
【００３２】
【図１】本発明の一実施の形態に係る種籾の温湯消毒装置を構成する温湯消毒機の断面図である。
【図２】同上平面図である。
【図３】同上斜視図である。
【図４】温湯タンクの概略断面図である。
【図５】同上作業態様を示す斜視図である。
【図６】温湯が汚濁した状態を示す斜視図である。
【図７】温湯消毒装置を構成する水冷機の斜視図である。
【図８】冷水が汚濁した状態を示す斜視図である。
【図９】冷水タンクの概略断面図である。
【図１０】作業用のクレーンを備えた温湯消毒装置の構成を示す概念図である。
【符号の説明】
【００３３】
１  温湯消毒機
２  温湯タンク
３  給湯制御機
４  温湯循環口
５  スノコ
６  温湯流下室
７  温湯貯留室
８  温湯噴き上げ部
９  給湯器
１０  電気ヒータ
１１  温湯送出口
１２  温湯送出管
１３  モータポンプ
１４  温湯戻し管
１５  温湯吸入管
１６  フロートスイッチ
１７  温湯制御器
１８  スタートボタン
１９  リセットボタン
２０  操作器
２１  スタートボタン
２２  リセットボタン
２３  ガス給湯器
２４  台構造体
２５  給湯管
２６  給水管
２７  オーバーフロー口
２８  オーバーフロー管
２９  種籾容器
３０  吊りアーム
３１  案内部
３２  起立体
３３  誘導部
３４  囲み枠
３５  排水管
３６  水冷機
３７  冷水タンク
３８  給水機
３９  スノコ
４０  冷水貯留部
４１  冷水還流部
４２  冷水噴き上げ部
４３  ポンプ
４４  給水管
４５  冷水戻り管
４６  給水口
４７  案内部
４８  起立体
４９  誘導部
５０  排水管
５１  排水口
５２  オーバーフロー管
５３  オーバーフロー口
５４  クレーン
５５  ガイドレール
５６  自走体
５７  下げフック
５８  操作制御器
【図１】
2006314330.tif 000003
【図２】
2006314330.tif 000004
【図３】
2006314330.tif 000005
【図４】
2006314330.tif 000006
【図５】
2006314330.tif 000007
【図６】
2006314330.tif 000008
【図７】
2006314330.tif 000009
【図８】
2006314330.tif 000010
【図９】
2006314330.tif 000011
【図１０】
2006314330.tif 000012